(57)【要約】      （修正有）【課題】切り割の撓み、開きが大きいペン先で、ペン芯の先端部分が離間しインク膜がインク貯蔵部方向に後退して筆記不能となる事態を防止する万年筆のペン先のインク供給装置を提供する。【解決手段】インクの表面張力で撓む薄片状の舌片１３をペン先の凹所に配設し、舌片の周縁部とペン先表面３と外気との間に生成するインク膜２７と、切り割面６と舌片上面１４に生成するインク膜２８の表面張力で舌片１３とペン先可撓部４を互いに引き寄せ合う事でインク流路１１を形成する。【選択図】図７
2019069543.tif 000002
【特許請求の範囲】
【請求項１】
ペン先と、ペン先の凹所に配設した可撓性のある舌片を有する万年筆のインク供給装置であって、舌片周縁部とペン先表面と外気との間にインク膜を生成し、そのインク膜に作用するインクの表面張力と、更に筆圧により開いた時のペン先の切り割面と舌片上面とに生成するインク膜の表面張力により、舌片可撓部がペン先可撓部側に付勢される舌片可撓部を持つ舌片とペン先表面とでインク流路を形成し、インク流路は、舌片周縁部とペン先表面との接触線に沿って、舌片とペン先表面との間のインクの毛細管作用が強く作用する楔形の主インク流路と、さらにペン先の切り割に連通し、舌片中央の軸線に沿って前記楔形の主インク流路よりも弱い毛細管作用が作用する副インク流路とから成り、インク流路は、ペン先可撓部終端から筆記先端付近に向かうに従ってインク流路の厚さを縮小して構成され、ペン先可撓部に相対する舌片可撓部は、その一端を舌片可撓部支持端として舌片の一部を形成し、他端は舌片自由端として筆記先端付近でペン先表面に接触するように配設されて舌片周縁部の一部を形成して、舌片可撓部の下面側にインク膜の生成を妨害する舌片下面側空間を設けた事を特徴とする万年筆のペン先のインク供給装置。
【請求項２】
舌片可撓部の下面側に、舌片下面側空間を設けたガードのガード先端部を舌片自由端付近に隙間を設けて近接して配設し、ガード先端部近傍に余剰インク吸収装置を設けた請求項１に記載した万年筆のペン先のインク供給装置。
【発明の詳細な説明】
【技術分野】
【０００１】
この発明は、インク膜に作用する表面張力で撓む舌片を万年筆のペン先の凹所に配設したインク供給装置に関する。
【背景技術】
【０００２】
ペン先に切り割を持つ万年筆の持つ特性は、ペン先が大きく撓みまた撓みながら筆記先端が大きく開くことによる弾力の抑揚（第一の特性）や、筆跡幅に抑揚をつけられること（第二の特性）や、筆跡のインクの濃度が変化すること（第三の特性）である。
【０００３】
従来のペン芯によるインク供給装置を持った万年筆では強い筆圧が加わって撓み量が大きくなると、ペン芯などのインク供給装置のペン先接触面からペン先の切り割部が浮き上がり、両者の間にあったインクの膜が軸内のインク貯蔵部の方向に後退したり破断して筆記不能になり、また同時に筆記先端が開きやすいペン先では、切り割がＶ字型に開くためインクの膜が開きの少ない方向に逆流して筆記先端からインクが無くなり筆記不能になることが起る。
【０００４】
これを避けるために、ペン先の剛性を高くして最大筆圧時の撓み量や開き量を少なくし、インク供給装置のペン先接触面からの切り割部の浮き上がり量を抑えて、インクの膜が破断しない対策が取られている。ペン先の弾力が硬くなったことで、切り割を持つペン先の特徴である腰の柔らかさや弾力の抑揚などの特性（第一の特性）が失われ、これと同時に筆跡幅の抑揚も小幅となり（第二の特性の喪失）、運筆中のインク流量の変化量も少なくなるため、筆跡濃度の変化（第三の特性）も失われている。
【０００５】
ペン先の凹所に曲率を合わせて柔軟なヘラやペン形支承片等を重合して細隙を形成し毛細管現象を利用したインク誘導装置が知られている（例えば、特許文献１、及び非特許文献１、２、３参照）。主たる目的はペン先へのインクの誘導性能向上と乾燥防止で、筆圧印可時にペン先が大きく撓んだり筆記先端が大きく開いたり、軸筒が捩られたりする時のインクの誘導特性には言及されていない。
【０００６】
またペン先と同一の曲率を持った舌片に突起を設けてペン先の一方のたわみ部の裏面に突起で固着し、ペン先裏面と舌片上面の間隙にペン芯からのインクを誘導する方法も知られている（例えば、非特許文献４参照）。ここでは、大きな筆圧でペン先のたわみ部が撓むと、舌片の先端がペン先の撓みに追随出来ない為に間隙が開きインクの膜が後退して筆記不能になる。また固着されていない舌片の側がその動きに追随できず、軸筒が捩られた筆記状態になると突起の無い側のペン先のたわみ部と舌片との間隙が一層開くため筆記不能になる。
【０００７】
また一般に多く使用されている単体ペン芯がある（例えば、特許文献２参照）。ここでは、軽度のばね作用を有する初圧力をもってペン先の下側に係合する舌状片は、万年筆前方部分の開口から弾性的に外へ出て常時ペン先に接触している。舌状片の周囲を開口を除いて万年筆前方部分が覆っており、且つ舌状片の周囲や下面側はＦｉｇ.３の断面図にも示されたようにインクの毛細管作用が強く働く隙間を形成しているので、仮に舌状片がインクの表面張力によって撓むほどの柔らかいものであった場合は、この隙間のインクの表面張力により舌状片を引き戻す方向に力が働くので、ペン先の大きな撓みには追随できない。この発明のＦｉｇ.６に示されたような断面の形状は、片持ち梁として撓みに関係する断面2次モーメント値が大きく、ペン先接触部分の可撓性を大きくすることが出来ない。また筆記先端に加わるねじれで、切り割部を含むペン先の可撓部がねじれを起こすと、ペン芯先端の可撓部はこの動きに追随できずインク切れを起こす。
【０００８】
また複合ペン芯（例えば特許文献３及び４参照）は、ペン先にインクを供給するインク溝を持った細幹でインク供給機能を独立させることが可能であるが、インク溝を設ける為に断面形状の断面2次モーメントが大きくなり撓みにくくなることや、筆記時のインク流量変化に即応するには毛細管として幅が狭く且つ長い流路を持つためにインクの流動抵抗が大きく、瞬時のインク流量変化に対応できない。
【０００９】
また、インク切れを起こさぬようにする為に、組み合わす外側のペン芯外筒で細幹の先端部に比較的に近い複数の個所との間にインク溜まりを形成させるため、細幹先端部をペン先方向に予め付勢しておいても、インク溜まりのインクの表面張力により細幹先端部を引き戻す力も作用するので、ペン先の撓みに十分に追随することが出来るほどの柔軟な可撓性を付与することは出来ず、筆記先端にねじれが加わった場合には、外側のペン芯外筒の制約を受けてペン先の可撓部の動きに追随できない。
【００１０】
更に複合ペン芯のインク供給用の細幹はペン先接触部がペン先の切り割に接するように予め付勢されているが、ペン先の可撓部の大きな撓みに十分に追随させようとすると、非筆記時にはペン先に強く接することになり、筆記先端を開かせて筆記開始時に紙面にインクが乗らずインク切れによる筆記不能を発生させる。これを防止するにはペン先の剛性を上げるしかなく、その結果撓みにくいペン先となる。
【先行技術文献】
【特許文献】
【００１１】
【特許文献１】特公昭３３−１２７４号公報
【特許文献２】特公昭４８−３２７０１号公報
【特許文献３】特公昭３９−１３１３４号公報
【特許文献４】特開平１−１４８５９８号公報
【非特許文献】
【００１２】
【非特許文献１】実開昭５１−１０５５３４号公報
【非特許文献２】実公昭３０−１３６１４号公報
【非特許文献３】実公昭３９−３１３０号公報
【非特許文献４】実開昭５４−１４５２３６号公報
【発明の概要】
【発明が解決しようとする課題】
【００１３】
運筆時の筆圧によって筆記先端と切り割面を含むペン先の可撓部が大きく撓み、又は、そして切り割面が大きく開く時に、ペン先とペン芯先端部に在った、又は、そして切り割面に在ったインク膜が軸筒内のインク貯蔵部の方向に後退して筆記不能になる事態を起こさないペン先のインク供給装置を提供する事を課題とする。
【課題を解決するための手段】
【００１４】
第一の発明は、ペン先と、ペン先の凹所に配設した可撓性のある舌片を有する万年筆のインク供給装置であって、舌片周縁部とペン先表面と外気との間にインク膜を生成し、そのインク膜に作用するインクの表面張力と、更に筆圧により開いた時のペン先の切り割面と舌片上面とに生成するインク膜の表面張力により、舌片可撓部がペン先可撓部側に付勢される舌片可撓部を持つ舌片とペン先表面とでインク流路を形成し、インク流路は、舌片周縁部とペン先表面との接触線に沿って、舌片とペン先表面との間のインクの毛細管作用が強く作用する楔形の主インク流路と、さらにペン先の切り割に連通し、舌片中央の軸線に沿って前記楔形の主インク流路よりも弱い毛細管作用が作用する副インク流路とから成り、インク流路は、ペン先可撓部終端から筆記先端付近に向かうに従ってインク流路の厚さを縮小して構成され、ペン先可撓部に相対する舌片可撓部は、その一端を舌片可撓部支持端として舌片の一部を形成し、他端は舌片自由端として筆記先端付近でペン先表面に接触するように配設されて舌片周縁部の一部を形成して、舌片可撓部の下面側にインク膜の生成を妨害する舌片下面側空間を設ける事で課題を解決する。
【００１５】
第二の発明は、大きく開いた切り割部に在ったインクが、筆圧解放時に生ずることがある筆記先端付近のインクの滴を速やかに処理する為に、インクの膜を張りにくくする舌片下面側空間を設けたガードの先端部を、舌片自由端付近に隙間を設けて近接して配設し、ガードの先端部近傍に余剰インク吸収装置を設ける事で紙面の汚染発生を防止する。
【００１６】
この発明で使用する舌片は片持ち梁として機能する柔軟な薄片状の舌片であって、インクの膜面で作用する表面張力程度の弱い力で撓む事が出来る材料や形状を用いて作られ、金合金やステンレス鋼などの金属材料の箔や合成樹脂材料のフィルム、或いはこれらの複合材等が素材として利用できる。
【００１７】
表面張力はインクが触れている個体材料の表面と外界の空気との間に張ったインクの膜面に働く力で膜面の表面積を最小にするように働き、力の単位を長さの単位で除したディメンションで示される。
【００１８】
片持ち梁に印可される荷重に対する梁の変位量は、梁の長さの累乗と、材料固有のヤング率の逆数と、梁の矩形断面形状から梁の厚さの３乗に比例して算出される断面２次モーメントの逆数に比例する。従来技術の細幹によるインク供給はその先端部分を付勢してペン先に触れさせる方法で、片持ち梁の自由端に集中荷重を印加するものである。
【００１９】
これと違ってここで提案する方式は、薄片状であるため厚さの３乗に比例する断面２次モーメントは非常に小さくなり、表面張力が舌片の周縁部に分散して作用する分散荷重印加となるので、長さの累乗の影響は３乗ではなく４乗で影響を及ぼすため大きな変位量を得やすい特徴がある。
【００２０】
楔形の主インク流路は運筆中の筆記先端に加わる荷重と方向の変化が原因で様々に変形するが、楔形の持つ強い毛細管作用とインク流路が筆記先端に向かって勾配を持つことによる強い毛細管作用によって常に筆記先端への毛細管作用が強く働く。切り割面がＶ字状に開いてもこの強い毛細管作用が働くため紙面と切り割面との間のインク膜が維持される。
【００２１】
副インク流路は、切り割面が開閉して起るインク流量変化の吸収に寄与すると同時に、主インク流路へのインク供給源であり、ハート孔から交代空気を取り込む構成に於いては特にその断面積を拡大することによってインク貯蔵部への交代空気の上昇速度を速め、瞬時の切り割面拡大にもインク切れを起こさず良好なインク出を維持することが出来る。
【００２２】
インク流路にインクが入った状態では、インク流路から浸出したインクは舌片周縁部とペン先表面とこれを取り巻く外気との間にインクの膜を生成する。そのインク膜に作用するインクの表面張力は常に膜の表面積を最小にするように働き、反作用として舌片可撓部はペン先可撓部に引き寄せられる。
【００２３】
筆圧印可でペン先可撓部が撓んでも、このインク膜の表面張力により舌片周縁部とペン先表面に接触または僅かに離間した近接状態は保たれ、ペン先可撓部の動きに舌片可撓部が追随し接触状態又は近接状態は維持される。
【００２４】
同時に筆記先端が開くと切り割面がＶ字状に開き、切り割面と舌片上面と外気との間にあるインク膜の表面張力が舌片可撓部をペン先側に引き寄せるので舌片可撓部とペン先可撓部の近接状態は維持される。
【００２５】
運筆中に万年筆が捩られると、ペン先の左右の可撓部の撓み量が異なる変位を生ずるが、舌片周縁部のインク膜の表面張力によって異なる変位量を補正する方向の捩り力が舌片可撓部に作用するので追随性能が維持される。
【００２６】
舌片自由端の幅は筆記先端が大きく開くので相対する部分のペン先の幅よりも幅広に構成することが出来、舌片周縁部に張るインク膜も舌片自由端部分は舌片上面と、或いは自由端周縁部と、といったように筆記先端の動きに合わせてペン先表面との間にインク膜を生成して舌片可撓部をペン先に引き付けるように表面張力が作用する。
【００２７】
舌片は薄片状であるので筆記角度を小さくして筆記する場合も舌片先端の舌片自由端の下面が紙面に接触しないので舌片自由端を筆記先端に近接させることが出来る。筆記先端が大きく開いた時のインク膜は、紙面と左右の筆記先端と舌片自由端との間に張った形となり、運筆によってその膜を維持しながら紙面にインクが乗り移っていくため、筆記先端と舌片自由端の先端との距離が短いことは、そのインク膜の持続の確実性に極めて重要な効果を発揮する。
【００２８】
インクの表面張力という弱い力に反応する舌片は、舌片可撓部の下面側近傍にペン芯の一部分である平面などが仮にあって、そこにインクが介在するとそのインク膜の表面張力によって引き付けられるのでペン先可撓部への追随が妨害される。この理由から舌片可撓部の下面側にインク膜の生成を妨害する化学的処理を施すとか、インク膜が張りにくい空間として舌片下面側空間を設ける。
【００２９】
また、舌片は柔軟で薄片状のため剛性が小さく外力による損傷を受けやすい。これを防止するため舌片の下面側に舌片下面側空間を設けると同時に、舌片の損傷を防止する役割のガードを設ける。  
【００３０】
第二の発明に関しては、筆圧によって筆記先端が大きく撓むだけで開きの変化率が小さいペン先では発生しないが、大きく開くペン先では最小筆圧と最大筆圧により生ずる筆跡の幅は数倍から十倍を超えるものがあり、従ってインク流路を流れるインク量の変化もこれに比例する。最大筆圧で早い速度で連続筆記中に突然運筆をやめて筆記先端を紙面から離すと、大きく開いていた切り割面が急激に元に戻る為その面積減少分のインクが余剰となることや、それまでのインクの流れの慣性により筆記先端にインクの滴を形成することがあり、筆圧の印加と解除を短時間に繰り返えすとインク滴が増大する。
【００３１】
この余剰インク滴は次の筆記の障害になるので速やかに処理する必要があるが、余剰インク滴の迅速な処理方法は、インク滴が生成を始めた初期段階からこれを吸収する事が重要で、このためには舌片下面側空間を設けたガード先端部を舌片自由端付近に隙間を設けながら近接して配設し、ガード先端部近傍に余剰インク吸収のためのインク溝を配設することで、筆記先端が元の状態に戻った時に速やかにインク滴をインク溝に侵入させ、インク溝に連通する櫛溝にインクを貯留することでインク滴の生成を防ぐ事が出来る。
【発明の効果】
【００３２】
筆圧変化や筆記速度変化、軸の捩り等があってもペン先のインク膜が安定して存在し続けるので、運筆に専念することが可能となり前述した第一、第二、第三の万年筆特有の特性を存分に味わう事が出来る万年筆として、意のままに書き、描くことの楽しさを提供する事が出来る。
【図面の簡単な説明】
【００３３】
【図１】ペン先に舌片を相対させた時の接触線の位置を２点鎖線で示し、ペン先の凹所側から見た図である。（実施例１）
【図２】ペン芯に舌片を相対させた時の舌片可撓部の位置を２点鎖線で示し、ペン芯の斜面側から見た図である。（実施例１）
【図３】舌片の平面図でペン芯の前部段差面の位置を２点鎖線で示し、舌片可撓部の構成を示した図である。（実施例１）
【図４】ペン先をペン芯に重ねた状態の縦断面図である。（実施例１）
【図５】ペン先とペン芯と舌片を首部筒に装着し、首部筒にインク貯蔵部と軸筒を装着した部分拡大断面図である。（実施例１）
【図６】図５の舌片可撓部終端を含むＡ−Ａ線部分の拡大断面図である。（実施例１）
【図７】図５のＢ−Ｂ線部分の拡大断面図でインク流路がインクで満たされている状態下のインク膜の状態を示す説明図である。（実施例１）
【図８】図７に於けるペン先可撓部と舌片可撓部が、運筆時に捩られて筆圧が印可された状態の拡大断面図で、インク膜の状態を示す説明図である。（実施例１）
【図９】ガードと余剰インク吸収装置を持ったペン芯を備えた首部筒の部分拡大断面図である。（実施例２）
【図１０】図９のＣ−Ｃ線部分の拡大断面図である。（実施例２）
【図１１】撓み性能主体のペン先可撓部の曲率が連続して変化しているペン先を用いて、従来方式のペン芯と組み合わせた部分拡大縦断面図である。（実施例３）
【図１２】図１１に使用したペン先に実施例1と異なる舌片を相対させた時の位置を示す説明図である。（実施例３）
【図１３】図１１のＤ−Ｄ線部分の拡大断面図である。（実施例３）
【図１４】図１１のＥ−Ｅ線部分の拡大断面図である。（実施例３）
【図１５】図１１のＦ−Ｆ線部分の拡大断面図である。（実施例３）
【発明を実施するための形態】
【実施例１】
【００３４】
図１、図２及び図３に於いて、ペン先１は円筒形の一部で凹所２を形成し、筆記先端７とハ―ト孔８の間に切り割面６を設けて、筆記先端７とハート孔８の間にペン先可撓部４を形成している。凹所２に配設される舌片１３は、柔軟で薄い肉厚の金属箔や合成樹脂フィルムなどの材料を用いてインクの表面張力程度の弱い力の作用でよく撓る片持ち梁として作動する舌片可撓部２０を有し、舌片１３の軸とほぼ平行に近い細長で台形の舌片縦縁部１７と舌片先端で片持ち梁としての自由端である舌片自由端１８、及び自由端縁部１９とからなる舌片周縁部１６をペン先表面３に接触又は接近させて配設される。
【００３５】
図４に於いて、ペン先固定部９をペン芯のペン受け部１０に合わせて重ね合わせた後、ペン先固定部９とペン芯傾斜面３２とで作られた三日月形の空間６５に、舌片自由端１８をペン先固定部９側から停止するところまで挿入すると、舌片縦縁部１７はペン先表面３と接触線１２で接触する。ここで舌片固定部２１の後端７０をペン芯傾斜面３２の後部の段差３４付近に接着する。
【００３６】
図５に於いて、この状態のまま首部筒３６に圧入すると、ペン先１と舌片１３とペン芯３１の相対的位置が決定し、これでペン先表面３と舌片上面１４とでインク流路１１が形成され、傾斜面３２の勾配で固定された舌片固定部２１の勾配により、ペン先可撓部４と舌片可撓部２０の部分で筆記先端７に向かってインク流路１１の厚さを縮小してインク流路全体の毛細管としての働きの強さに傾斜を付け、舌片自由端１８の自由端縁部１９の先端がペン先表面３に、僅かな付勢力で接触する。
【００３７】
図２、図４及び図６に於いて、ペン芯傾斜面３２とその前部に設けた前部段差面３３が交差して出来る交線７７の両端の角部７５、７６は、ペン先表面３と接して固定され、交線７７によって舌片可撓部支持端２２はこの位置に決まる。従って舌片可撓部支持端２２から前方の舌片自由端１８までが舌片可撓部２０となる。
【００３８】
図５に於いて、組み立てた首部筒３６にインク貯蔵部３８を取り付けた状態では、ペン先１に設けたインク流路１１はインク連絡流路３９でインク貯蔵部３８に連通する。
【００３９】
図６に於いて、三日月形に形成されたインク流路１１は、舌片縦縁部１７がペン先表面３に接触した接触線１２を頂点とする楔形の空間で毛細管作用が強く働く主インク流路２５と、舌片の中央付近の大きな空間で主インク流路２５よりも毛細管作用が弱く働く副インク流路２６とから成る。
【００４０】
図５に於いて、ペン芯の前部段差面３３で位置が確定した舌片可撓部支持端２２は、相対するペン先可撓部終端５の位置と比較して、ややペン先固定部９内方向に入り込んだ位置にあるが、必ずしも一致させる必要はなく、この場合は舌片可撓部２０の長さを長くしてインクの表面張力による舌片の最大撓み量を増大させる効果を付与している。
【００４１】
図７は図５のＢ−Ｂ断面で、インク流路１１にインクが満たされた時のインク膜の状態を示している。舌片の主インク流路２５から外に滲み出たインクが、舌片周縁部１６の一部をなす舌片縦縁部１７とペン先表面３を濡らして、外気との間にインク膜２７を生成する。そして切り割面６と外気の間にインク膜２８を生成する。これらのインク膜に作用する表面張力はその表面積を最小にするように作用するので、反作用としてペン先可撓部４と舌片可撓部２０はお互いに引き付け合うように変位し、主インク流路２５と副インク流路２６は安定的に維持される。
【００４２】
図８は筆圧が印可され、軸筒が右に捩られ手元方向に引き寄せられた時の図５に於けるＢ−Ｂ断面の状態を示す。ペン先右側可撓部８２が右側舌片縦縁部７２から離脱する方向に変位し、切り割面６にあったインク膜２８が引き伸ばされて左側インク膜２９と右側インク膜３０となる。
【００４３】
時には、左側インク膜２９と右側インク膜３０との間が切れて、舌片上面１４が露出し右側のインク膜３０が潜入インク膜２４の位置にずれ、主インク流路２５、副インク流路２６、インク膜２７の各右側部分は、右側主インク流路２５２、右側副インク流路２６２、インク膜９２で示した形になるが、常にこれらのインクの表面張力がペン先可撓部４と舌片可撓部２０を引き寄せる形となり、インク流路１１は安定的に確保される。
【００４４】
また時には、極めて強い筆圧が印可されて図８に示したペン先左側可撓部８１も右側可撓部８２のように左側舌片縦縁部７１から離脱する方向に変位し、インク膜２９も潜入インク膜２４のようになって舌片可撓部２０がペン先表面３から離れてしまうことも起るが
、紙面へと流れているインクによって常にインク膜面が更新されており安定したインクの流出が確保される。
【００４５】
左右の筆記先端に供給されるインクの状態は、運筆中の筆記先端の動きが激しい中でこのような状態の繰り返しであり、可撓性の高い舌片とインクの表面張力との連動によって筆記先端と紙面との接触点で確実なインクの受け渡しが行われ、此処に提案している方式の、他方式にはない有用性が発揮される。
【００４６】
運筆により流出したインク量により発生するインク貯蔵部３８内の気圧の減少に伴って流入する交代空気４０は、ハート孔８から副インク流路２６に吸い込まれインク連絡流路３９を通ってインク貯蔵部３８に達する。ハート孔８からインク貯蔵部３８に進むに従って交代空気４０の気泡の体積は徐々に拡大するが、ペン芯傾斜面３２に付けられた勾配によってインク流路１１、及びインク連絡流路３９の断面積も漸次拡大するので、気泡は直ちにインク貯蔵部３８に到達する。この交代空気４０の速い上昇効果でインク貯蔵部３８内の気圧が直ちに平衡状態に達し、次の瞬間に筆跡幅が急拡大するような筆圧が印可された時も、インク貯蔵部３８内の気圧平衡の遅れによるインクの出渋りを原因とする筆跡の掠れを発生しない。従って連続的な速書にも十分に適応する。
【実施例２】
【００４７】
図９及び図１０は実施例１のペン先１と舌片１３を用いたインク流路１１を備えたペン芯３１にガード５６と余剰インク吸収装置６０を設けた万年筆のペン先のインク供給装置で、ペン芯３１は内芯４１と外筒４２とで構成される。内芯４１は、その全長に亘り強い毛細管作用が作用するインク溝４４を備え、外筒の内芯用係合部４３に勘合している。
【００４８】
内芯先端４５は、舌片自由端１８付近の舌片下面１５との間にインク滴が発生した時に、インク滴の表面のインク膜がインク溝４４の先端部５１に移行する程度の隙間４６を設けて配置され、外筒先端部５８と共に余剰インク吸収装置６０を形成している。インク溝４４の後端部５２はインク貯蔵部３８に向けて開放されており、インク貯蔵部の内圧が上昇すると、インク溝後端部５２から外筒４２に設けた櫛溝４８へとインクが流入し、櫛溝４８内の空気は空気逃げ溝４７から排出される。
【００４９】
内芯４１の上面には実施例１のペン芯３１に設けたと同じ傾斜面３２と前部段差面３３があって舌片下面１５との間に空間２３を設けている。
【００５０】
外筒４２の内芯用係合部４３に内芯４１を嵌合してペン芯３１とし、ペン先１を更に重ねて実施例１と同様の手順で舌片１３を挿入して固定したのち首部筒３６に固定する。首部筒３６から外気に露出したペン芯３１の部分はガード５６として機能する。
【００５１】
多量のインクが流れている筆跡幅の広い運筆が突然中断され筆記先端７が紙面から離れると、開いていた切り割面６が急速に元の状態戻る事で切り割面６の中から溢れ出るインクと、インクの流れに内在する慣性とで、筆記先端７と舌片の自由端１８付近にインク滴が発生する。このインク滴が急速に膨張して、隙間４６をインクで埋めながら内芯先端４５に接触し、インク溝先端部５１からインク溝４４に吸入され櫛溝４８に侵入する。櫛溝への吸収でインク滴が消費されると隙間４６が回復して空間となり舌片自由端１８の作動を妨害しないので、インク滴が紙面に付着して汚染することも、筆跡が余剰なインクで溢れてしまうこともなく快適な運筆が出来る。  
【実施例３】
【００５２】
図１１から図１３に於いて、筆記先端の撓み量の変化率が大きく、開き量の変化率が少ないペン先可撓部４を有するペン先１は、ペン先可撓部終端５から筆記先端７に近づくに従い凹所２の曲率８０が漸次増大するように成形されており、かつ、筆記先端７が首部筒３６の軸線９９に近い位置になるようにペン先可撓部終端５から筆記先端７に勾配が付けられており、ペン先固定部９は軸線９９と平行に成形されている。
【００５３】
図１２から図１５に示すように、左右の舌片縦縁部７１,７２が平行で細長い舌片１３は、ペン先表面３と接触又は近接して接触線１２（図１２の舌片縦縁部１７と重なるため図示せず）を頂点とする楔形の主インク流路２５と舌片中央付近の副インク流路２６から成るインク流路１１を形成している。
【００５４】
インク流路１１の内、ペン先可撓部終端５から筆記先端７に向かう勾配をつけて形成されたインク流路６６は、インク流路の厚さを漸次薄くして筆記先端７に向けて毛細管としての働きの強さに傾斜を付けている。インク流路１１の内、インク流路６６を除いた残りの部分であるペン先固定部９に相対するインク流路６７は厚さも幅も一定で、軸線９９に平行なインク流路となっている。
【００５５】
内芯４１は上面に舌片固定部２１を固定する為の舌片受け部４９と、舌片可撓部２０の長さを決めると同時に舌片可撓部２０の舌片下面側空間２３を形成する為の前部段差面３３があり、下面側にインク貯蔵部３８に連通する強い毛細管作用が作用するインク溝４４を備えて外筒４２の内芯用係合部４３に嵌合している。
【００５６】
外筒４２には櫛溝４８と空気逃げ溝４７があり、内芯用係合部４３に段５５を設けて櫛溝連絡インク溝５４を形成し、インク貯蔵部３８内の気圧変化による溢出インクはインク溝４４と櫛溝連絡インク溝５４から櫛溝４８に侵入し、櫛溝内の空気は空気逃げ溝４７から排出される。空気逃げ溝４７の一端にはインク貯蔵部３８に連通する空気溝５３があり、筆記により消費されたインクに代わる交代空気４０は空気溝５３を通ってインク貯蔵部に侵入する。
【００５７】
外筒４２と結合した内芯４１の上面の舌片受け部４９を含む内芯上面後部６４は、軸線９９と平行で首部筒３６の内面との間に三日月型空間６５を形成してインク連絡流路３９を形成している。
【００５８】
運筆中のペン先可撓部４と舌片可撓部２０のインクの表面張力との関係は実施例１及び実施例２と同様である。実施例３のペン先１は撓み量の変化が大きく、筆記先端７の開き量の変化が少ない。インク流量の変化が少ないので交代空気４０の流入量の変化も少ない為インク流出量と交代空気の調整方法も従来技術で対処可能である。しかし、ペン先可撓部の撓み量が大きな、いわゆる弾力に抑揚がある（先にあげた万年筆の第一の特性の一部分）ペン先のインク供給装置としては従来の技術では解決できず、この発明によって大きく撓む細筆の毛筆にも似た弾力を持つペン先を提供することが出来る。
【００５９】
実施例１から３に於いて、舌片は、概略の形状として平面図で細長い台形と矩形を実施例で示したが、ペン先の凹部との接触線をどの様にするかで他の形することが出来る。筆記先端側が広い逆台形として舌片を筆記先端側からペン先の凹部に装着したり、縦縁部が直線ばかりでなく曲率を持つものなども用いることが出来る。
【００６０】
さらに、舌片の可撓部は片持ち梁として作動するので、一般の工学書で開示されている立体的な形状を用いることが出来る。可撓部支持端の厚みに比べて自由端側の厚みを漸次薄くするとか、階段状に薄くするとか、途中に節を設けてその前後の撓みの変化率を不連続に変えるなどの策も利用できる。
【００６１】
さらに、ペン先の凹部への舌片の固定方法としては、ペン芯に舌片を固定する方法だけでなく、ペン先側に舌片を固定する突起や係止片などの機構を設けて、舌片を係止させることもできる。舌片は強度的には脆弱であるから、使用中の修理や交換作業を必要とすることも考えられる。従って首部筒の分解作業をせずに筆記先端側から舌片を挿入、離脱させやすいことも必要で、本発明のようにペン芯とペン先で形作られる三日月形の空間は、舌片を圧入するだけで固定できる利点がある。
【００６２】
さらに、実施例では舌片可撓部は平板状であって、ペン芯の傾斜面やペン先可撓部に勾配を付けることで自由端のペン先表面への接触を実現しているが、舌片上面に曲率を付与してペン先表面へ向けて付勢し、ペン先表面との間に弱い接触圧をもって自由端が接触するようにすることもできる。舌片の厚さに関与する断面２次モーメントの値が許容値内であれば、舌片の断面形状は薄片状の矩形ばかりでなく他の断面形状も取りうる。
【００６３】
さらに、舌片の自由端は厚さが薄いため筆記先端に近付けて配設が可能で、大きく開く筆記先端の場合は自由端幅を広げてインク膜を安定させる事が出来るが、軸筒が捩られると自由端両端が紙面に接触しがちになる為、自由端端面の角を実施例のように斜めに切除するとか円弧状に切除するなどの方策が有効である。更には自由端端面を三角形状にして、その頂点が開いた切り割面の中へ上昇することで、紙面へ接触しにくくする策も有効である。
【００６４】
さらに、舌片のインクに対する濡れ性は極めて重要な要因であって化学的な濡れ性処理、或いは撥水性処理が有効であるが、表面に物理的に適度な粗面処理を施すことも有用である。また、親水性材料と疎水性材料の張り合わせ複合材とか、片持ち梁として影響するヤング率改善策として金属と合成樹脂、或いは異なる合成樹脂どうしとの複合材なども使用できる。
【００６５】
さらに、これまでに言及した舌片の周縁部は、単に舌片の厚さに関与する表面を意味するだけでなく、その周辺の舌片上面や下面の一部も含まれる。現実の舌片の周縁部は平滑な面や鋭利な角を持っているわけではなく凹凸で角の丸い、上面と下面との境も定かにできないものであって、その凹凸が表面積の増大をもたらし、インク膜が張る長さを増加させ、舌片可撓部をペン先可撓部に引き寄せる力を増大させている。
【００６６】
さらに、実施例でガードは首部筒から突出したペン芯の一部分として説明したが、この部分を金属の薄板の成形物とすることも出来、筆記角度を紙面に接近させられる利点がある。
【符号の説明】
【００６７】
１.  ペン先
２.  凹所
３.  ペン先表面
４.  ペン先可撓部
５.  ペン先可撓部終端
６.  切り割面
７.  筆記先端
８.  ハート孔
９.  ペン先固定部  
１０.  ペン受け部
１１.  インク流路
１２.  接触線
１３.  舌片
１４.  舌片上面
１５.  舌片下面
１６.  舌片周縁部
１７.  舌片縦縁部
１８.  舌片自由端
１９.  自由端縁部
２０.  舌片可撓部
２１.  舌片固定部
２２.  舌片可撓部支持端
２３.  舌片下面側空間
２４.  潜入インク膜
２５.  主インク流路
２６.  副インク流路  
２７.  ３と１６と外気とに生成するインク膜
２８.  ６と１４とに生成するインク膜
２９.  ２８の左側インク膜
３０.  ２８の右側インク膜
３１.  ペン芯
３２.  傾斜面  
３３.  前部段差面                              
３４.  後部段差面                              
３６.  首部筒
３７.  軸筒
３８.  インク貯蔵部
３９.  インク連絡流路
４０.  交代空気
４１.  内芯  
４２.  外筒
４３.  内芯用係合部
４４.  インク溝
４５  内芯先端
４６.  隙間
４７.  空気逃げ溝
４８.  櫛溝
４９.  舌片受け部
５１.  インク溝先端部
５２.  インク溝後端部
５３.  空気溝
５４.  櫛溝連絡インク溝
５５.  段
５６.  ガード
５７.  ガード先端部
５８.  外筒先端部
６０.  余剰インク吸収装置
６１.  左側切り割面
６２.  右側切り割面
６４.  内芯上面後部
６５.  三日月型空間
６６.  ペン先可撓部に相対するインク流路
６７.  インク流路１１の内、６６を除いた部分
７０.  舌片固定部後端
７１.  左側舌片縦縁部
７２.  右側舌片縦縁部
７５.  傾斜面３２と前部段差面３３の左側交点
７６.  傾斜面３２と前部段差面３３の右側交点
７７.  ７５と７６を結ぶ交線
８０.  凹部曲率
８１.  ペン先左側可撓部
８２.  ペン先右側可撓部
９１.  ２７の左側インク膜
９２.  ２７の右側インク膜
９９.  首部筒の軸線
２５１.  左側主インク流路
２５２.  右側主インク流路
２６１.  左側副インク流路
２６２.  右側副インク流路
【図１】
2019069543.tif 000003
【図２】
2019069543.tif 000004
【図３】
2019069543.tif 000005
【図４】
2019069543.tif 000006
【図５】
2019069543.tif 000007
【図６】
2019069543.tif 000008
【図７】
2019069543.tif 000009
【図８】
2019069543.tif 000010
【図９】
2019069543.tif 000011
【図１０】
2019069543.tif 000012
【図１１】
2019069543.tif 000013
【図１２】
2019069543.tif 000014
【図１３】
2019069543.tif 000015
【図１４】
2019069543.tif 000016
【図１５】
2019069543.tif 000017